【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
タービンエンジンの排気ノズルであって、
長手方向に延在する中心軸を中心に配されて２つのセミカウルを備えたカウルを有し、これらのセミカウルは、それぞれ前記カウル後縁で結合された外側表面と内側表面とを備え、各セミカウルの前記内側表面の一部は、前記中心軸と直角をなして前記カウル後縁の長手方向前方に位置された生成軸を有する第１の湾曲面であり、
前記セミカウルそれぞれに対応する一対のシェルを有し、これらのシェルは、前縁、後縁、内側表面、及び外側表面をそれぞれ備えたパネルを有し、これらの各パネルは、対応する生成軸に実質的に一致するピボット軸を中心にして引出し位置と引込み位置との間で回動可能であり、各パネルの外側表面は、対応する前記セミカウルの内側表面より半径方向内側に離間した第２の湾曲面であり、これにより、各パネルの外側表面と、対応するセミカウルの内側表面と、の間に均一のギャップを画定することを特徴とするタービンエンジンの可変排気ノズル。
【請求項２】
タービンエンジンの可変排気ノズルであって、
長手方向に延在する中心軸を中心に配されて２つのセミカウルを備えたカウルを有し、これらのセミカウルは、それぞれ前記カウル後縁で結合された外側表面と内側表面とを備え、各セミカウルの内側表面の一部は、前記中心軸と直角をなして前記カウル後縁の長手方向前方に位置された生成軸を有する第１の湾曲面であり、
前記セミカウルそれぞれに対応する一対のシェルを有し、これらのシェルは、前縁、内側表面、及び外側表面をそれぞれ備えたパネルを有し、これらの各パネルは、対応する生成軸に実質的に一致するピボット軸を中心にして引出し位置と引込み位置との間で回動可能であり、各パネルの外側表面は、対応するセミカウルの内側表面より半径方向内側に離間した第２の湾曲面であり、これにより、各パネルの外側表面と、対応するセミカウルの内側表面と、の間に均一のギャップを画定し、各シェルはまた、パネルから後方に延在する延長部を含み、各延長部は、対応するシェルの後縁を定める後縁を有しており、これらの延長部は、回転面の一部をなすことを特徴とするタービンエンジンの可変排気ノズル。
【請求項３】
タービンエンジンの可変排気ノズルであって、
長手方向に延在する中心軸を中心に配されて２つのセミカウルを備えたカウルを有し、これらのセミカウルは、それぞれ前記カウル後縁で結合された外側表面と内側表面とを備え、各セミカウルの内側表面の一部は、前記中心軸と直角をなして前記カウル後縁の長手方向前方に位置された生成軸を有する第１の湾曲面であり、
前記セミカウルそれぞれに対応する一対のシェルを有し、これらのシェルは、前縁、後縁、内側表面、及び外側表面をそれぞれ備えたパネルを有し、これらの各パネルは、対応する生成軸に実質的に一致するピボット軸を中心にして引出し位置と引込み位置との間で回動可能であり、各パネルの外側表面は、対応する前記セミカウルの内側表面より半径方向内側に離間した第２の湾曲面であり、これにより、各パネルの外側表面と、対応するセミカウルの内側表面と、の間に均一のギャップを画定し、
前記カウルおよび前記シェルと共働して作動媒体通路を半径方向に画定するセンターボディを有することを特徴とするタービンエンジンの可変排気ノズル。
【請求項４】
タービンエンジンの可変排気ノズルであって、
長手方向に延在する中心軸を中心に配されて２つのセミカウルを備えたカウルを有し、これらのセミカウルは、それぞれ前記カウル後縁で結合された外側表面と内側表面とを備え、各セミカウルの内側表面の一部は、前記中心軸と直角をなして前記カウル後縁の長手方向前方に位置された生成軸を有する第１の湾曲面であり、
前記セミカウルそれぞれに対応する一対のシェルを有し、これらのシェルは、前縁、内側表面、及び外側表面をそれぞれ備えたパネルを有し、これらの各パネルは、対応する生成軸に実質的に一致するピボット軸を中心にして引出し位置と引込み位置との間で回動可能であり、各パネルの外側表面は、対応するセミカウルの内側表面より半径方向内側に離間した第２の湾曲面であり、これにより、各パネルの外側表面と、対応するセミカウルの内側表面と、の間に均一のギャップを画定し、各シェルはまた、前記パネルから後方に延在する延長部を含み、各延長部は、対応するシェルの後縁を定める後縁を有しており、これらの延長部の外側表面は回転面の一部をなし、
前記カウルおよび前記シェルと共働して作動媒体通路を半径方向に画定するセンターボディを有することを特徴とするタービンエンジンの可変排気ノズル。
【請求項５】
前記延長部の前記外側表面は円錐台状であることを特徴とする請求項２または４記載の排気ノズル。
【請求項６】
前記生成軸は、前記中心軸から横方向にずらされていることを特徴とする請求項１、２、３または４記載の排気ノズル。
【請求項７】
前記シェル後縁および前記センターボディは、ノズル排気面積を画定し、前記シェルが前記引込み位置にある場合の排気面積は、前記シェルが前記引出し位置にある場合の排気面積よりも少なくとも２０パーセント大きいことを特徴とする請求項３または４記載の排気ノズル。
【請求項８】
前記シェルは、それぞれに関連するピボット軸を中心として対称的に回動可能であり、これにより、前記エンジンは、シェルの全角度位置において実質的に長手方向に向けられた推進力を生成することを特徴とする請求項１、２、３または４記載の排気ノズル。
【請求項９】
前記各パネルと前記延長部との間で画定された境界は、前記パネルが前記引込み位置にある場合に前記カウル後縁よりも前方には位置しないことを特徴とする請求項２または４記載の排気ノズル。
【請求項１０】
各パネルの前縁は、前記セミカウル内側表面と前記シェルの外側表面との間の遷移領域が空気力学的に流線型になるように広げられていることを特徴とする請求項１、２、３または４記載の排気ノズル。
【請求項１１】
各シェルは、フェアリング内のリセスによって収容される周縁を含み、各リセスは、内側周辺部を有し、前記排気ノズルは、シェルの周縁とリセスの内側周辺部との間の間隙をシールするための長手方向に延在するレッグを少なくとも備えることを特徴とする請求項１、２、３または４記載の排気ノズル。
【請求項１２】
前記シェル後縁は、ノズル排気面積を画定し、前記シェルが前記引込み位置にある場合の排気面積は、前記シェルが前記引出し位置にある場合の排気面積よりも少なくとも２０パーセント大きいことを特徴とする請求項１または２記載の排気ノズル。
【請求項１３】
タービンエンジンの可変排気ノズルであって、
長手方向に延在する中心軸を中心に配されて２つのセミカウルを備えたカウルを有し、これらのセミカウルは、それぞれ前記カウル後縁で結合された外側表面と内側表面とを備え、各セミカウルの内側表面の一部は、前記中心軸と直角をなして前記カウル後縁の長手方向前方に位置された生成軸を有する第１の湾曲面であり、
前記セミカウルそれぞれに対応する一対のシェルを有し、これらのシェルは、前縁、内側表面、及び外側表面をそれぞれ備えたパネルを有し、これらの各パネルは、対応する生成軸に実質的に一致するピボット軸を中心にして引出し位置と引込み位置との間で回動可能であり、各パネルの外側表面は、対応するセミカウルの内側表面より半径方向内側に離間した第２の湾曲面であり、各シェルはまた、前記パネルから後方に延在する延長部を含み、各延長部は、対応するシェルの後縁を定める後縁を有しており、これらの延長部は回転面の一部をなすことを特徴とするタービンエンジンの可変排気ノズル。
【請求項１４】
前記カウルおよび前記シェルと共働して作動媒体通路を半径方向に画定するセンターボディを有することを特徴とする請求項１３記載の排気ノズル。